(57)【要約】      （修正有）【課題】トレイが引き出される際に、トレイに実装されたカードが外れることを防止することができる、電子デバイス内で使用するためのカードトレイを開示する。【解決手段】カードが上に搭載された状態で、電子デバイスのカードソケットへ挿入し、かつそこから引き出すための、電子デバイス内で使用するためのカードトレイであって、カードが実装されるカード実装部１１０が形成されるトレイ本体１００と、カード実装部上に実装されているカードが、トレイが引き出される際にトレイ本体から外れて落下しないように、所定位置でカードを保持する、トレイ本体上に設けられたカード保持手段３１０と、を備えるカードトレイであってもよい。【選択図】図１
2017107838.tif 000002
【特許請求の範囲】
【請求項１】
カードが上に搭載された状態で、電子デバイスのカードソケットへ挿入し、かつそこから引き出すための、電子デバイス内で使用するためのカードトレイであって、
トレイ本体であって、その上にカード実装部が形成され、その上に前記カードが実装される、トレイ本体と、
前記カード実装部上に実装されている前記カードが、前記トレイが引き出される際に前記トレイ本体から外れて落下しないように、所定位置で前記カードを保持する、前記トレイ本体上に設けられるカード保持手段と、を備える、電子デバイス内で使用するためのカードトレイ。
【請求項２】
前記カード保持手段が、前記トレイ本体のカード実装部の側面に取り付けられ、かつ前記カード実装部上に実装される前記カードを所定位置で保持するために、外側から内側への前記カードトレイの弾性を利用する弾性部を備える、請求項１に記載の電子デバイス内で使用するためのカードトレイ。
【請求項３】
前記弾性部が、前記カードの幅もしくは長さ方向に水平移動できるように前記トレイ本体の側面上に設けられるか、または前記トレイ本体上に形成される長穴もしくは開口溝に挿入され、このとき、前記カード実装部内に突出する突出部が形成され、また前記カードが、前記カード実装部内に実装されるときに、前記突出部によって締まりばめされ、このとき、前記弾性部が、前記カードの幅または長さ方向に移動することによって、前記カードを弾性的に押圧する、請求項２に記載の電子デバイス内で使用するためのカードトレイ。
【請求項４】
前記弾性部が、前記突出部の内側の下方傾斜面上に形成されることによって、前記カードの側面が、前記突出部の傾斜面によって滑らかに挿入されて実装されるようになる、請求項３に記載の電子デバイス内で使用するためのカードトレイ。
【請求項５】
前記カード保持手段が、
前記トレイ本体の片側に設けられ、かつ前記トレイ本体の片側に実装される前記カードの側面を、弾性を使用して所定位置で保持する、第１のカード保持部を備える、請求項１に記載の電子デバイス内で使用するためのカードトレイ。
【請求項６】
カードが両側に実装される状態で、電子デバイスのカードソケットへ挿入し、かつそこから引き出すための、カードトレイであって、
前記カード保持手段が、
前記トレイ本体の反対側に挿入成形される弾性部からなり、かつ前記トレイ本体の反対側に実装される前記カードの側面を、弾性を使用して所定位置で保持する第２のカード保持部をさらに備える、請求項５に記載の電子デバイス内で使用するためのカードトレイ。
【請求項７】
第２のカード保持手段が、
前記トレイ本体の反対側に実装される前記カードの上下側面に弾性圧力を加えることによって所定位置で前記カードを保持するために、前記トレイ本体の反対側の上下側面の両方に設けられる、請求項６に記載の電子デバイス内で使用するためのカードトレイ。
【請求項８】
前記カードトレイが、
前記トレイ本体上に挿入成形される金属枠部をさらに備える、請求項２に記載の電子デバイス内で使用するためのカードトレイ。
【請求項９】
前記金属枠部が、前記トレイ本体の曲げ強さを補強するために、その端部上に形成される屈曲部を有する、請求項８に記載の電子デバイス内で使用するためのカードトレイ。
【請求項１０】
前記弾性部が、前記カードの長さまたは幅方向において、前記金属枠部の上面を水平移動する、請求項８に記載の電子デバイス内で使用するためのカードトレイ。
【請求項１１】
前記弾性部の水平動作の範囲が、前記金属枠部の上部露出部の幅以下である、請求項１０に記載の電子デバイス内で使用するためのカードトレイ。
【発明の詳細な説明】
【技術分野】
【０００１】
本発明は、カードトレイに関し、より具体的には、カードが上に実装されるトレイを挿入し、かつ引き出すための、電子デバイス内で使用するためのカードトレイに関する。
【背景技術】
【０００２】
一般に、種々のカード（メモリカードまたはＳＩＭカード）が実装されるスマートフォンなどの電子デバイスにおいて、使用の便宜上、カードは挿入および取り出し用トレイに搭載される。
【０００３】
従来技術においては、カードがトレイ本体上に単に実装される構造が採用されているため、引き出す際に、カードがトレイ上の所定位置でしっかりと固定されず、また、トレイの両側にカードが搭載される場合、カードがトレイ本体に固定されないために、トレイの下面に搭載されるカードは外れやすくなることがある。
【０００４】
また、カードトレイがプラスチック材料から作製される場合、金属材料から作製されるカードトレイと比較して、トレイの耐久性が劣る問題が存在しており、特に、トレイ本体は長さ方向における曲げ強さが弱いために、トレイはねじれおよび損傷を受ける。
【先行技術文献】
【特許文献】
【０００５】
【特許文献１】韓国登録特許第１０−１４６８９５２公報（２０１４．１２．０４）
【発明の概要】
【発明が解決しようとする課題】
【０００６】
本発明によって解決しようとする技術的問題は、トレイが引き出される際に、トレイに実装されるカードが落下するのを防止することができる電子デバイス内で使用するためのカードトレイの供給である。
【０００７】
本発明の別の技術的課題は、トレイの強度を高めることによって、トレイのねじれおよび損傷の防止を可能にする電子デバイス用カードトレイを提供することである。
【課題を解決するための手段】
【０００８】
上記の目的を実現するために、本発明の実施形態による電子デバイス用カードトレイは、カードが上に搭載された状態で、電子デバイスのカードソケットへ挿入し、かつそこから引き出すための、電子デバイス内で使用するためのカードトレイであって、トレイ本体であって、その上にカード実装部が形成され、その上に前記カードが実装される、トレイ本体と、前記カード実装部上に実装されている前記カードが、前記トレイが引き出される際に、前記トレイ本体から外れて落下しないように、所定位置で前記カードを保持する前記トレイ本体上に設けられるカード保持手段と、を備える、カードトレイであってもよい。
【０００９】
また、前記カード保持手段は、前記トレイ本体のカード実装部の側面に取り付けられ、かつ前記カード実装部上に実装されるカードを所定位置で保持するために、外側から内側へのカードトレイの弾性を利用する、弾性部を含んでもよい。
【００１０】
また、前記弾性部は、カードの幅もしくは長さ方向に水平移動できるように前記トレイ本体の側面上に設けられてもよく、または前記トレイ本体に形成された長穴もしくは開口溝に挿入されてもよく、このとき前記カード実装部に突出する突出部が形成され、カードが前記カード実装部に実装される場合、前記突出部による締まりばめによって、所定位置で保持してもよく、このとき、前記弾性部は、カードを弾性的に押圧するためにカードの幅または長さ方向に移動してもよい。
【００１１】
また、前記弾性部は、前記突出部の内側の下方傾斜面上に形成されてもよく、その結果カードの側面が、前記突出部の傾斜面によって滑らかに挿入されて実装されるようになる。
【００１２】
また、前記カード保持手段は、前記トレイ本体の片側に設けられ、かつ該トレイ本体の片側に実装されるカードの側面を、弾性を使用して所定位置で保持する第１のカード保持部を含んでもよい。
【００１３】
また、カードが両側に実装された状態で、電子デバイスのカードソケットへ挿入し、かつそこから引き出すためのカードトレイにおいて、前記カード保持手段は、前記トレイ本体の反対側に挿入成形される弾性部からなり、かつ所定位置で前記トレイ本体の反対側に実装されるカードの側面を、弾性を使用して保持する第２のカード保持部をさらに備えてもよい。
【００１４】
また、前記トレイ本体の反対側に実装されるカードの上下側面に弾性圧力を加えることによって所定位置でカードを保持するために、前記第２のカード保持手段は、前記トレイ本体の反対側の上下側面上の両方に設けられてもよい。
【００１５】
また、前記カードトレイは、前記トレイ本体上に挿入成形される金属枠部をさらに備えてもよい。
【００１６】
また、前記金属枠部は、前記トレイ本体の曲げ強さを補強するために、その端部上に形成される屈曲部を有してもよい。
【００１７】
また、前記弾性部は、カードの長さまたは幅方向において、前記金属枠部の上面を水平移動してもよい。
【００１８】
また、前記弾性部の水平動作の範囲は、前記金属枠部の上部露出部の幅以下であるように構成されてもよい。
【発明の効果】
【００１９】
本発明の電子デバイス用カードトレイおよびそれを使用するトレイキャリアアセンブリは、以下の効果を有する。
【００２０】
第１に、本発明は、トレイが引き出される際に、トレイに実装されるカードが外れるのを防止することができる。これは、カード実装部で実装されるカードの両側面を、弾性を使用して所定位置で保持するために、トレイ本体のカード実装部の両側に挿入成形されるカード保持手段が設けられているからである。
【００２１】
第２に、本発明は、トレイの上下面上に実装されるカードが外れることを確実に防止することができる。これは、本発明におけるトレイの両側にカードが搭載される場合、トレイの両側に挿入成形される弾性部の突出部による締まりばめによって、カードの両端部が所定位置で保持され、このとき、弾性部がトレイの上下面上に実装されるカードを弾性的に押圧するからである。
【００２２】
第３に、本発明は、カードの厚さ方向において厚みをもたすことなく、カードを所定位置で効果的に保持することができる。
【００２３】
第４に、プラスチック材料のトレイ本体上に金属材料の金属枠部を挿入成形することによりカードトレイを構成することによって、本発明は、プラスチックのみから作製される既存のカードトレイと比べて、トレイのサイズを縮小することができ、かつトレイの耐久性を増大させることができる。
【００２４】
第５に、本発明は、長さ方向においてカードトレイの曲げ強さを補強するために、カードトレイ上に挿入成形される金属枠部の端部上に屈曲部を形成することによって、トレイに対するねじれおよび損傷を防止することができる。
【図面の簡単な説明】
【００２５】
【図１】本発明の一実施形態による電子デバイス内で使用するためのカードトレイの上から見た透視図である。
【図２】本発明の一実施形態による電子デバイス内で使用するためのカードトレイの上から見た透視図である。
【図３】電子デバイス内で使用するための本発明のカードトレイ上に挿入成形される金属枠部の透視図である。
【図４】電子デバイス内で使用するための本発明のカードトレイの上部の上面図である。
【図５】図４における部分Ａの拡大部分図である。
【図６】電子デバイス内で使用するための本発明のカードトレイの上面図である。
【図７】図６における部分Ｂの拡大部分図である。
【図８】図６の線Ｘ−Ｘに沿った断面図である。
【図９】電子デバイス内で使用するための本発明のカードトレイの所定位置でカードが実装されて保持される状態を示す。
【図１０】電子デバイス内で使用するための本発明のカードトレイにおいて使用される金属枠部によるカードトレイの曲げ強さの補強を示す参照図である。
【発明を実施するための形態】
【００２６】
以下、添付図面を参照して、電子デバイス内で使用するための本発明のカードトレイの好ましい実施形態について説明する。本発明を説明する上で、常識かつ本発明の核心的な意図を不必要に不明瞭にすると判断される、機能および構成要素の詳細な説明を省略することに留意されたい。
【００２７】
図１は、本発明の一実施形態による電子デバイス内で使用するためのカードトレイの上から見た透視図である。図２は、本発明の一実施形態による電子デバイス内で使用するためのカードトレイの上から見た透視図である。図３は、電子デバイス内で使用するための本発明のカードトレイ上に挿入成形される金属枠部の透視図である。図４は、電子デバイス内で使用するための本発明のカードトレイの上部の上面図である。図５は、図４における部分Ａの拡大部分図である。図６は、電子デバイス内で使用するための本発明のカードトレイの上面図である。図７は、図６における部分Ｂの拡大部分図である。図８は、図６の線Ｘ−Ｘに沿った断面図である。
【００２８】
図１から８に示すように、本発明の実施形態による電子デバイス内で使用するためのカードトレイは、トレイ本体（１００）、金属枠部（２００）、およびカード保持手段（３００）を備えてもよい。
【００２９】
本実施形態は、両側、すなわち上下の両方にカード（１０、図９参照）が搭載されるカードトレイの場合を示すが、本発明はそれに限定されず、カード（１０）が上下面のうちの一方にのみ搭載されるカードトレイに適用してもよい。
【００３０】
トレイ本体（１００）は、カード（１０）が挿入されて実装される、中央に形成されるカード実装部（１１１）を有する、全体的に直線形状を有するカード実装部（１１０）と、カードソケット（図示せず）からのカードトレイの挿入／引き出しの際に、手で把持して、押すまたは引くことができるように、カード実装部（１１０）上に形成されるハンドル部（１２０）と、を備える。トレイ本体（１００）がカードソケットに挿入される場合、カード実装部（１１０）は、トレイ挿入路に挿入され、またハンドル部（１２０）は、トレイ挿入路の入口に位置付けられる。
【００３１】
また、カードソケットに実装される場合、トレイ本体（１００）は、カードソケットの種々の端子と電気接触しないような構造を有するか、または不導体、例えばプラスチックなどの非金属材料から作製されてもよい。
【００３２】
金属枠部（２００）は、トレイを補強するためにトレイ本体（１００）に挿入成形される。この金属枠部（２００）は、トレイ本体（１００）の形状に対応する直線形状を有する金属板からなる。したがって、本発明のカードトレイの強度を増大させることができ、かつプラスチック材料のみから作製される既存のカードトレイのものよりも、サイズを縮小することができ、これは、金属材料から作製される金属枠部（２００）がプラスチック材料から作製されるトレイ本体（１００）上に挿入成形されるからである。
【００３３】
金属枠部（２００）は、カード実装部（１１１）の上側開口部分（１１１ａ）を下側開口部分（１１１ｂ）から塞いで分割するようにトレイ本体（１００）に挿入成形される。これによって、金属枠部（２００）に対して、第１のカード（１１）は、カード実装部（１１１）の上側開口部分（１１１ａ）上に挿入され、実装することができ、第２のカード（１２）は、カード実装部（１１１）の下側開口部分（１１１ｂ）上に挿入され、実装することができ、その結果、トレイの両側にカードが搭載される。
【００３４】
屈曲部（２２０）が金属板（２１０）の端部上、特にカード（１０）の幅または長さ方向に対応する両端部で形成されるために、金属枠部（２００）は、トレイ本体（１００）の曲げ強さを改善することができる。本実施形態は、屈曲部（２２０）が金属枠部（２００）の各端部の一部にのみ形成される構成を示しているが、本発明はこれに限定されず、屈曲部（２２０）はまた、金属枠部分（２００）の端部全体に形成されてもよい。
【００３５】
トレイが引き出される際に、カード実装部（１１１）に実装されるカード（１０）がトレイ本体（１００）から落下しないように、カード保持手段（３００）がトレイ本体（１００）上に設けられ、所定位置でカード（１０）を保持するように機能する。
【００３６】
カード保持手段（３００）は、カード実装部（１１１）上に実装されるカード（１０）の両端部を、弾性を使用して所定位置で保持するために、トレイ本体（１００）のカード実装部（１１１）の両側面上に挿入成形される、弾性部（３０１）を備えてもよい。弾性部（３０１）は、金属または弾性を有するプラスチック材料から作製されてもよい。
【００３７】
前記弾性部（３０１）は、カード（１０）の幅または長さ方向に水平移動できるように前記トレイ本体の側面上に設けられてもよく、または、前記トレイ本体（１００）のいずれかの側面上に形成される長穴（１１３）もしくは開口溝（１１５）に挿入してもよく、このとき前記カード実装部（１１１）内に突出する突出部（３０３）が形成され、カード（１０）が前記カード実装部（１１１）内に実装されるときに、前記突出部によって、締まりばめされてもよく、このとき前記弾性部（３０１）は、長穴（１１３）または開口溝（１１５）内をカードの幅または長さ方向に移動することによって、該カード（１０）を弾性的に押圧する。
【００３８】
弾性部（３０１）は、トレイ本体（１００）上に挿入成形される金属枠部（２００）の上面をカード（１０）の幅または長さ方向に水平移動することができる。このとき、前記弾性部（３０１）の水平動作の範囲（Ｄ１）は、好ましくは金属枠部（２００）の上部露出部の幅（Ｄ２）以下である。
【００３９】
弾性部（３０１）は、前記突出部（３０３）の内側の下方傾斜面（３０５）上に形成され、その結果、前記突出部（３０３）の傾斜面（３０５）により、カード実装部（１１１）にカード（１０）の両側面が滑らかに挿入され、実装される。
【００４０】
カード保持手段（３００）は、第１のカード保持部（３１０）および第２のカード保持部（３２０）を備えてもよい。
【００４１】
第１のカード保持部（３１０）は、トレイ本体（１００）の一方の面、例えば上面の両側に挿入成形される弾性部（３０１）からなり、トレイが引き出される際に、弾性を使用して、トレイ本体（１００）の上部に実装されるカード（１０）の両側面を所定位置で保持するので、トレイの上面に実装される第１のカード（１１）が落下するのを防止することができる。第１のカード保持部（３１０）の弾性部（３０１）は、ロッド状に形成され、トレイ本体（１００）の上面の両側に形成される長穴（１１３）に挿入され、外側から内側へのカード（１０）の水平動作を可能にする。第１のカード保持部（３１０）の弾性部（３０１）において、突出部（３０３）が形成され、トレイ本体（１００）の上面の側面上に形成される穴（１１４）を介して突出部（３０３）がカード実装部（１１１）に突出する。カード（１０）がトレイ本体（１００）の上面のカード実装部（１１１）上に実装される場合、カード（１０）の両端部は突出部（３０３）により締まりばめされ、そのとき、弾性部（３０１）が長穴（１１３）内を水平移動するので、トレイの上面上に実装されるカード（１０）が弾性圧力によって所定位置で保持されるために、カード（１０）が落下しない。
【００４２】
第２のカード保持部（３２０）は、トレイ本体（１００）の反対側の面、例えば、下面の両側に挿入成形される弾性部（３０１）からなり、トレイが引き出される際に、トレイ本体（１００）の上部上に実装されるカード（１０）の両側面を、弾性を使用して保持することにより、トレイの上面上に実装される第２のカード（１２）が落下するのを防止することができる。第２のカード保持部（３２０）の弾性部（３０１）は、ロッド状に形成され、トレイ本体（１００）の下面の両側に形成される開口溝（１１５）に挿入され、外側から内側へのカード（１０）の水平動作を可能にする。第２のカード保持部（３２０）の弾性部（３０１）において、突出部（３０３）が形成され、トレイ本体（１００）の下面の側面に形成される穴（１１６）を介して突出部（３０３）がカード実装部（１１１）に突出する。カード（１０）がトレイ本体（１００）の下面のカード実装部（１１１）上に実装される場合、カード（１０）の両端部は突出部（３０３）により締まりばめされ、そのとき、弾性部（３０１）が開口溝（１１５）内を水平移動するために、トレイの下面上に実装されるカード（１０）が弾性圧力によって所定位置で保持されるので、カード（１０）が落下しない。
【００４３】
また、第２のカード保持部（３２０）の弾性部（３０３）は、トレイ本体（１００）の下面の両側面の上下に設けられることから、上下それぞれへの弾性圧力によって、トレイ本体（１００）の下面上に実装される第２のカード（１２）を所定位置でより確実に保持することができる。
【００４４】
図９は、電子デバイス内で使用するための本発明のカードトレイの所定位置でカードが実装されて、保持される状態を示す。
【００４５】
図９は、カード（１０）がトレイの下面上に搭載される場合を、一例として示し、これは、カード（１０）がトレイの下面または両面上に搭載される場合と同一であるため、この詳細な説明は省略する。
【００４６】
図９ａに示すように、上面もしくは下面、または両面にカード（１０）を搭載するために、カード（１０）は、トレイ本体（１００）のカード実装部（１１１）に挿入されて、実装される。カード（１０）がトレイに実装される前に、トレイ本体（１００）の両側に挿入成形される弾性部（３０１）の突出部（３０３）は、カード実装部（１１１）に突出する。
【００４７】
図９ｂに示すように、カード（１０）がカード実装部（１１１）に挿入されて、実装される場合、カード（１０）の両端部は、突出部（３０３）により締まりばめされる状態で、カード実装部（１１１）から外向きに弾性部（３０１）の突出部（３０３）を押圧し、そのとき、弾性部（３０１）が長穴（１１３）または開口溝（１１５）内を水平移動するので、トレイ本体（１００）の上面または下面上に実装されるカード（１０）が弾性圧力によって所定位置で保持されるために、カード（１０）は落下しない。
【００４８】
図１０は、電子デバイス内で使用するための本発明のカードトレイにおいて使用される金属枠部によるカードトレイの曲げ強さの補強を示す参照図である。
【００４９】
図１０に示すように、金属材料の金属枠部（２００）がプラスチック材料のトレイ本体（１００）上に挿入成形されることからトレイ強度を増大することができる。具体的には、屈曲部（２２０）が金属板（２１０）の端部上、カードの幅または長さ方向に沿った両端部で形成されるために、金属枠部（２００）は、トレイ本体（１００）のカード実装部（１１０）の幅方向における曲げ強さ（矢印方向）を改善することができる。
【００５０】
以上、添付図面を参照して、本発明の実施形態を説明したが、本発明の属する技術分野における当業者は、本発明の必要な特性または技術的な着想を変更することなく様々な特定の形態で、本発明を実施することができることを理解することができる。このため、上記の実施形態は、全ての点において限定的ではなく、例示的なものとして理解されなければならない。本発明の範囲は、発明を実施するための形態においてではなく、以下の特許請求の範囲において記載され、特許請求の範囲の意味、範囲、および均等物に由来する全ての変更または変更形態は、本発明の範囲内に含まれるとみなさなければならない。
【符号の説明】
【００５１】
１００：トレイ本体
１１０：カード実装部
１２０：ハンドル部
２００：金属枠部
２１０：金属板
２２０：屈曲部
３００：カード保持手段
３０１：弾性部
３０３：突出部
３０５：傾斜面
３１０：第１のカード保持部
３２０：第２のカード保持部
【図１】
2017107838.tif 000003
【図２】
2017107838.tif 000004
【図３】
2017107838.tif 000005
【図４】
2017107838.tif 000006
【図５】
2017107838.tif 000007
【図６】
2017107838.tif 000008
【図７】
2017107838.tif 000009
【図８】
2017107838.tif 000010
【図９】
2017107838.tif 000011
【図１０】
2017107838.tif 000012